(57)【要約】  【課題】  Ｙｖミスコンバーゼンスによる色ズレの補正を容易に行い得、且つ、配線数や端子数の増加によるコストの増加を抑制し得る垂直トロイダル巻線コイル方式の偏向ヨーク、陰極線管装置及び表示装置を提供することにある。  【解決手段】  トロイダル形の垂直偏向コイルと、垂直偏向コイルが巻回された筒状のコアとを少なくとも有する偏向ヨークを用いる。コアは、第１のコア片３ａと第２のコア片３ｂとを接合して形成する。第１のコア片３ａと第２のコア片３ｂとは、Ｘ軸を法線とする接合面４を介して接合する。垂直偏向コイルは、第１のコア片３ａに巻回された第１の垂直偏向コイル１と、第２のコア片３ｂに巻回された第２の垂直偏向コイル２とで形成する。第１の垂直偏向コイル１には巻方向の異なる巻線束１ａ及び１ｂを形成し、第２の垂直偏向コイル２には巻方向の異なる巻線束２ａ及び２ｂを形成する。【選択図】  図１
2005038777.tif 000002
【特許請求の範囲】
【請求項１】
電子ビームを垂直方向に偏向させるトロイダル形の垂直偏向コイルと、前記垂直偏向コイルが巻回された筒状のコアとを少なくとも有する偏向ヨークであって、
前記垂直偏向コイルは、前記コアの一方の片側に巻回された第１の垂直偏向コイルと、前記コアの他方の片側に巻回された第２の垂直偏向コイルとを有し、
前記第１の垂直偏向コイル及び前記第２の垂直偏向コイルそれぞれは、少なくとも１度巻方向を変化させて形成した巻線束を有していることを特徴とする偏向ヨーク。
【請求項２】
前記コアが、第１のコア片と第２のコア片とを接合して形成され、前記第１のコア片及び前記第２のコア片は、水平方向に平行な軸を法線とする面を接合面として接合され、且つ、前記接合面に対して互いに対称な形状を有しており、
前記第１の垂直偏向コイルが前記第１のコア片に巻回され、前記第２の垂直偏向コイルが前記第２のコア片に巻回されている請求項１記載の偏向ヨーク。
【請求項３】
前記第１の垂直偏向コイル及び前記第２の垂直偏向コイルそれぞれが、巻方向の異なる２つの巻線束を有しており、
前記第１の垂直偏向コイルの各巻線束及び前記第２の垂直偏向コイルの各巻線束は、前記接合面に垂直な方向において対向するもの同士の巻方向が同一となるように形成されている請求項２記載の偏向ヨーク。
【請求項４】
前記コアの一方の開口端部に、前記垂直偏向コイルを構成する線材を引掛けて、前記線材の巻方向を反転させる一対の切り欠き部が形成されている請求項１に記載の偏向ヨーク。
【請求項５】
前記コアの一方の開口端部に、前記垂直偏向コイルを構成する線材を引掛けて、前記線材の巻方向を反転させる突起部が形成されている請求項１に記載の偏向ヨーク。
【請求項６】
上記請求項１〜４のいずれかに記載の偏向ヨークを有することを特徴とする陰極線管装置。
【発明の詳細な説明】
【技術分野】
【０００１】
本発明は、偏向ヨーク及び陰極線管装置に関する。
【背景技術】
【０００２】
従来から、陰極線管装置においては、表示領域の垂直方向における端部でのＲ−Ｂ横線割れ（以下「Ｙｖミスコンバーゼンス」という。）による色ズレを補正するため、垂直偏向コイルについて様々な改良が行われている。
【０００３】
図６は、典型的なＹｖミスコンバーゼンスのパターンを示す図である。図６において、４５は表示装置の表示領域を示し、４１及び４３は赤ラスタ、４２及び４４は青ラスタを示している。
【０００４】
このようなＹｖミスコンバーゼンスを解消するため、例えば、垂直偏向コイルを左右に分割して構成した垂直サドル巻線コイル方式の偏向ヨークにおいては、偏向ヨーク内に設けられた垂直偏向補正回路に３点端子可変ボリューム（以下「ＶＲ」という。）が設けられている。
【０００５】
具体的には、この垂直偏向補正回路においては、左右２つの垂直メインコイルを直列に接続し、それら２つの垂直メインコイルに並列に３点端子可変ＶＲの両端を接続し、更に２つの垂直メインコイルの中点に３点端子可変ＶＲの中間端子を接続して構成された回路形態がとられている。
【０００６】
このような構成によれば、３点端子可変ＶＲを可変するだけで、左右２つの垂直コイルに流れる垂直偏向電流を左右垂直コイルそれぞれについて非対称に変化させることができ、この結果、左右垂直コイルそれぞれに生じる磁界も非対称となる。このため、陰極線管装置の内側を通る電子ビームは左右に偏心するので、上記のＹｖミスコンバーゼンスが補正される。
【０００７】
一方、垂直トロイダル巻線コイル方式の偏向ヨークにおいては、垂直偏向磁界を発生させるため、垂直偏向コイルは、基本的に上下２分割となっている。よって、上下２つの垂直メインコイルにおいて、上記の３点端子可変ＶＲを用いて電流を変化させても、電子ビームを左右に偏心させることができないので、Ｙｖミスコンバーゼンスを補正することは不可能である。
【０００８】
このため、上下２分割の垂直メインコイルを用いた垂直トロイダル巻線コイル方式の偏向ヨークにおいては、例えば特許文献１に開示の回路構成によって、Ｙｖミスコンバーゼンスの補正を行っている。この回路構成について図１０を用いて説明する。
【０００９】
図７は、従来における垂直トロイダル巻線コイル方式の偏向ヨークの構成を概略的に示す図である。図７に示すように、従来における垂直トロイダル巻線コイル方式の偏向ヨークは、コア７に上下２分割の垂直メインコイル（上垂直メインコイル５５及び下垂直メインコイル５６）を巻回して構成されている。上垂直メインコイル５５と下垂直メインコイル５６とは並列に接続されている。なお、垂直メインコイル５５及び５６は、図７においては点線で示している。また、５８ａ、５８ｂ及び５８ｃは電子ビームの軌道位置を示している。
【００１０】
また、図７に示すように、コア５７には、垂直メインコイル５５及び５６と同一の磁界分布を形成する巻き角度で、更に、４つのサブコイル（左上サブコイル５１、左下サブコイル５２、右下サブコイル５３及び右上サブコイル５４）が巻回されている。各サブコイル５１〜５４は直列に接続されており、この直列に接続された複数のサブコイル５１〜５４は更に垂直メインコイル５５及び５６に直列に接続されている。
【００１１】
更に、図７に示す偏向ヨークは、差動電流制御素子５９を有しており、差動電流制御素子５９の両端は、直列に接続された複数のサブコイル５１〜５４に並列に接続されている。また、差動電流制御素子５９の中間の端子はサブコイル５４とサブコイル５２とを接続する配線に接続されている。
【００１２】
この構成によれば、左側に位置する左上サブコイル５１及び左下サブコイル５２と、右側に位置する右上サブコイル５４及び右下サブコイル５３とを別々に制御できる。このため、上下２分割の垂直メインコイルが備えられているにも拘わらず、差動電流制御素子５９の調整によって、左右非対称に磁界を発生させることができるので、図７に示す偏向ヨークによれば、垂直トロイダル巻線コイル方式の偏向ヨークと同様に、Ｙｖミスコンバーゼンスを補正することができる。
【特許文献１】特開平２−３３８３４号公報（第２−３頁、第１図）
【発明の開示】
【発明が解決しようとする課題】
【００１３】
しかしながら、図７に示す偏向ヨークにおいては、上垂直メインコイル５５及び下垂直メインコイル５６に加えて、４つのサブコイル５１〜５４が必要となる。このため、垂直偏向コイル全体から出る配線の数は、一般的な垂直トロイダル巻線コイル方式の偏向ヨークの場合は４つであるのに対し、図７に示す偏向ヨークの場合は８つに増加してしまう。
【００１４】
また、左側の左上サブコイル５１及び左下コイル５２、及び右側の右上サブコイル５４及び右下サブコイル５３は、それぞれ一つのトロイダルコイルの中間部分に中間タップを設けて形成する必要があるため、回路配線を構成するのに必要な端子の数が、一般的な垂直トロイダル巻線コイル方式の偏向ヨークに比べて、少なくとも２つ以上増加してしまう。
【００１５】
つまり、図７に示す偏向ヨークにおいては、サブコイル５１〜５４の追加によって、コストが上昇するという問題がある。また、配線数や端子数の増加は、これらを搭載するプリント基板にも影響し、更なるコストアップへと繋がる。
【００１６】
また、図７に示す偏向ヨークにおいてＹｖミスコンバーゼンスを補正するには、上垂直メインコイル５５及び下垂直メインコイル５６とは別に、サブコイル５１〜５４それぞれについて、個別に巻方向及び電流方向を制御する必要がある。
【００１７】
更に、図７に示す偏向ヨークにおいては、配線が非情に複雑になる。このため、組み立てにかかる労力が増加するという問題がある。また、複雑な配線構造のため、誤配線が生じる可能性が高く、その検査にかかる労力が増加するという問題もある。
【００１８】
本発明の目的は、上記問題を解消し、Ｙｖミスコンバーゼンスによる色ズレの補正を容易に行い得、且つ、配線数や端子数の増加によるコストの増加を抑制し得る垂直トロイダル巻線コイル方式の偏向ヨーク及び陰極線管装置を提供することにある。
【課題を解決するための手段】
【００１９】
上記目的を達成するために本発明にかかる偏向ヨークは、電子ビームを垂直方向に偏向させるトロイダル形の垂直偏向コイルと、前記垂直偏向コイルが巻回された筒状のコアとを少なくとも有する偏向ヨークであって、前記垂直偏向コイルは、前記コアの一方の片側に巻回された第１の垂直偏向コイルと、前記コアの他方の片側に巻回された第２の垂直偏向コイルとを有し、前記第１の垂直偏向コイル及び前記第２の垂直偏向コイルそれぞれは、少なくとも１度巻方向を変化させて形成した巻線束を有していることを特徴とする。
【００２０】
次に、上記目的を達成するために本発明にかかる陰極線管装置は、上記本発明にかかる偏向ヨークを有することを特徴とする
【発明の効果】
【００２１】
本発明にかかる偏向ヨーク及び陰極線管装置によれば、従来の偏向ヨーク及び陰極線管装置に比べて、簡単な配線構造とでき、又端子数を減少させることができるので、コストの増加を抑制できる。また、電子ビームの垂直方向への偏向及びＹｖミスコンバーゼンスの補正を簡単に行うことができる。さらに、これらの点から、本発明によれば、低価格で、品質のバラツキの少ない偏向ヨークを提供することができると言え、引いては、ＩＴＣ（Integrated Tube Component）調整能率の優れたコンバーゼンス特性を有する陰極線管装置を得ることができる。
【発明を実施するための最良の形態】
【００２２】
上述のように、上記本発明にかかる偏向ヨーク及び陰極線管装置は、２つの垂直偏向コイルを有し、垂直偏向コイルは巻方向が異なる巻線束を有している。このため、図７に示した従来の偏向ヨークと異なり、サブコイルを追加することなく、垂直偏向コイルによって発生する磁界のバランスを左右において非対称とすることができる。このため、部品点数等の低減を図りつつ、Ｙｖミスコンバーゼンスの補正を行うことができる。
【００２３】
上記本発明にかかる偏向ヨーク及び陰極線管装置においては、  前記コアが、第１のコア片と第２のコア片とを接合して形成され、前記第１のコア片及び前記第２のコア片は、水平方向に平行な軸を法線とする面を接合面として接合され、且つ、前記接合面に対して互いに対称な形状を有しており、前記第１の垂直偏向コイルが前記第１のコア片に巻回され、前記第２の垂直偏向コイルが前記第２のコア片に巻回されている態様とするのが好ましい。
【００２４】
この態様においては、前記第１の垂直偏向コイル及び前記第２の垂直偏向コイルそれぞれが、巻方向の異なる２つの巻線束を有しており、前記第１の垂直偏向コイルの各巻線束及び前記第２の垂直偏向コイルの各巻線束は、前記接合面に垂直な方向において対向するもの同士の巻方向が同一となるように形成されているのが好ましい。
【００２５】
このような態様とした場合は、第１の垂直偏向コイル又は第２の垂直偏向コイルにおける一方の端子から電流を入力するだけで、コアの中心軸に垂直であって水平方向に平行な軸（Ｘ軸）の上側に位置する巻線束によって発生する垂直偏向磁界の向きと、Ｘ軸の下側に位置する巻線束よって発生する垂直偏向磁界の向きとを同一にできる。よって、電子ビームにおける垂直方向の偏向を容易に行うことができる。
【００２６】
また、上記本発明にかかる偏向ヨーク及び陰極線管装置においては、前記コアの一方の開口端部に、前記垂直偏向コイルを構成する線材を引掛けて、前記線材の巻方向を反転させる一対の切り欠き部が形成されているのが好ましい。更に、前記コアの一方の開口端部に、前記垂直偏向コイルを構成する線材を引掛けて、前記線材の巻方向を反転させる突起部が形成されているのも好ましい。
【００２７】
上記態様とすれば、第１の垂直偏向コイル及び第２の垂直偏向コイルに巻方向の異なる巻線束を容易に形成することができる。
【００２８】
以下、本発明の実施の形態にかかる偏向ヨーク及び陰極線管装置について、図１〜図５を参照しながら説明する。最初に、本発明の実施の形態にかかる偏向ヨークについて図１〜図３を用いて説明する。
【００２９】
図１は、本発明の実施の形態にかかる偏向ヨークの構成を概略的に示す図であり、スクリーン側から偏向ヨークを見た状態を示している。図２は、本発明の実施の形態にかかる偏向ヨークを構成するコアの一例を示す斜視図であり、図２に示されたコアは図１に示されたコアと同様のものである。図３は、本発明の実施の形態にかかる偏向ヨークを構成するコアの他の例を示す斜視図である。
【００３０】
図１において、Ｙ軸は、陰極線管装置の表示領域における垂直方向に平行な軸であって、筒状のコア３の中心軸７に直交している。Ｘ軸は、陰極線管装置の表示領域における水平方向に平行な軸であって、上記のコアの中心軸７に直交している。また、図１において、８ａ、８ｂ及び８ｃは電子ビームの軌道位置を示している。
【００３１】
図１に示すように、本実施の形態にかかる偏向ヨークは、水平偏向コイル（図示せず）と、第１の垂直偏向コイル１及び第２の垂直偏向コイル２によって形成されたトロイダル形の垂直偏向コイルと、この垂直偏向コイルが巻回された筒状のコアとを少なくとも備えている。
【００３２】
水平偏向コイルは、８ａ〜８ｃに示す軌道でカソード（図示せず）から射出された電子ビームを水平方向に偏向させる。また、垂直偏向コイルは、上記の電子ビームを垂直方向に偏向させる。垂直偏向コイルは、第１の垂直偏向コイル１と第２の垂直偏向コイル２とによって、全体としてトロイダル形を呈している。なお、垂直偏向コイル１、２による電子ビームの偏向については、後述する。
【００３３】
また、第１の垂直偏向コイル１は、コア３の一方の片側に巻回され、第２の垂直偏向コイル２はコア３の他方の片側に巻回されている。図１の例では、筒状のコア３は、第１のコア片３ａと第２のコア片３ｂとを接合して形成されており、第１の垂直偏向コイル１は第１のコア片３ａに巻回され、第２の垂直偏向コイル２は第２のコア片３ｂに巻回されている。
【００３４】
筒状のコア３を形成する第１のコア片３ａと第２のコア片３ｂとの接合は、接合面４を介して行われている。接合面４はＸ軸に平行な軸を法線とする面である。このように、本実施の形態においては、コアは左右方向（水平方向）に分割可能に構成されている。なお、コアは、本実施の形態においては、フェライトコアであるが、本発明はこれに限定されるものではない。また、コアは、上述のような分割可能なものに限定されず、一体成形されたものであっても良い。
【００３５】
また、図２に示すように、第１のコア片３ａと第２のコア片３ｂとは、接合面４に対して互いに対称な形状を有している。なお、図２に示すように、本実施の形態においては、コア３の外形は円錐台状に形成されているが、本発明はこれに限定されるものではない。コア３の外形は、例えば角錐台状に形成されていても良い。更に、図１に示すように、第１の垂直偏向コイル１は、第１のコア片３ａに巻回されており、第２の垂直偏向コイル２は第２のコア片３ｂに巻回されている。
【００３６】
また、図１及び図２から分るように、本実施の形態においては、コア３の一方の開口端部を形成する第１のコア片３ａの端部に、一対の切り欠き部５ａ及び５ｂが設けられている。更に、この一対の切り欠き部５ａ及び５ｂには、第１の垂直偏向コイル１を構成する線材が引掛けられており、この切り欠き部５ａ及び５ｂにおいて第１の垂直偏向コイル１を構成する線材の螺旋回転する方向（巻方向）が反転させられている。
【００３７】
同様に、図１及び図２から分るように、コア３の一方の開口端部を形成する第２のコア片３ｂの端部にも、一対の切り欠き部６ａ及び６ｂが設けられている。また、この一対の切り欠き部６ａ及び６ｂにも、第２の垂直偏向コイル２を構成する線材が引掛けられており、この切り欠き部６ａ及び６ｂにおいて第２の垂直偏向コイル２を構成する線材の螺旋回転する方向（巻方向）が反転させられている。
【００３８】
また、切り欠き部５ａと５ｂとはＸ軸を挟んで設けられている。切り欠き部６ａと６ｂも同様に、Ｘ軸を挟んで設けられている。このため、本実施の形態においては、第１の垂直偏向コイル１は、Ｘ軸を境に、巻方向が異なる２つの巻線束１ａ及び１ｂを有している。第２の垂直偏向コイル２も、Ｘ軸を境に巻方向の異なる２つの巻線束２ａ及び２ｂを有している。
【００３９】
更に、本実施の形態においては、第１の垂直偏向コイル１の巻線束１ａと、これに対して接合面４に垂直な方向において対向する第２の垂直偏向コイル２の巻線束２ａとについては、巻方向が同一に設定されている。更に、第１の垂直偏向コイル１の巻線束１ｂと、これに対して接合面４に垂直な方向において対向する第２の垂直偏向コイル２の巻線束２ｂとについても、巻方向が同一に設定されている。
【００４０】
また、本実施の形態においては、図２に示すコア３の代わりに、図３に示すコア９を用いることもできる。図３に示すコア９も、図２に示すコア３と同様に、第１のコア片９ａと第２のコア片９ｂとを有している。また、第１のコア片９ａと第２のコア片９ｂとは、接合面１０に対して互いに対称な形状を有しており、接合面１０は、接合面４と同様に、Ｘ軸に平行な軸を法線とする面である。
【００４１】
但し、図３に示すコア９は、図２に示したコア３と異なり、コア９の一方の開口端部を形成する第１のコア片９ａの端部及び第２のコア片９ｂの端部に、一対の突起部１１が形成されている。図３に示すコア９においては、この突起部１１に線材を引掛けることによって、第１の垂直偏向コイル１を構成する線材及び第２の垂直偏向コイル２を構成する線材の巻方向の反転が行われる。
【００４２】
次に、本発実施の形態において、垂直偏向コイル（１、２）が垂直主偏向磁界を発生させる原理について説明する。
【００４３】
上述したように、垂直偏向コイルは、第１の垂直偏向コイル１と第２の垂直偏向コイル２との左右２分割で形成されている。また、第１の垂直偏向コイル１は、上側の巻線束１ａと下側の巻線束１ｂとで分割されるが、上側の巻線束１ａと下側の巻線束１ｂとは連続したコイル線によって形成されている。同様に、第２の垂直偏向コイル２も、上側の巻線束２ａと下側の巻線束２ｂとで分割されるが、上側の巻線束２ａと下側の巻線束２ｂとは連続したコイル線によって形成されている。
【００４４】
更に、上述したように、第１の垂直偏向コイル１及び第２の垂直偏向コイル２においては、Ｘ軸を境に上側の巻線束（１ａ、２ａ）と下側の巻線束（１ｂ、２ｂ）とで巻線方向が異なっている。また、上側の巻線束１ａと２ａとは巻線方向が同一であり、下側の巻線束１ｂと２ｂも巻線方向は同一である。第１の垂直偏向コイル１における下側の端子１３と第２の垂直偏向コイル２における下側の端子１４とは接続されている。図１中の２０は、端子１３と端子１４との結線ポイントを示している。
【００４５】
この構成において、第１の垂直変更コイル１における上側の端子（トロイダルコイル巻線入力端子）１２から垂直偏向電流１６を入力すると、垂直偏向電流１６は、第２の垂直偏向コイル２における上側の端子（トロイダルコイル巻線出力端子）１５から出力される。
【００４６】
この時、流れた垂直偏向電流１６により、コア３内には、磁界１７が発生する。そして、この磁界１７によって、垂直主偏向磁界１８が発生することになる。
【００４７】
このように、本実施の形態においては、第１の垂直偏向コイル１に設けられたトロイダルコイル巻線入力端子１２から、第２の垂直偏向コイル２に設けられたトロイダルコイル巻線出力端子１５へと、垂直偏向電流１６を流すことによって、通常の垂直サドルコイルと同様の磁界分布を生み出すことができ、電子ビームを垂直方向に偏向させることができる。また、磁界分布の調整は、第１の垂直偏向コイル１と第２の垂直偏向コイル２の巻線角度を調節することによって行うことができる。
【００４８】
次に、本実施の形態にかかる陰極線管装置を用いたＹｖミスコンバーゼンスの補正について図４を用いて説明する。図４は、図２に示す陰極線管装置の垂直偏向コイルの結線図である。
【００４９】
図４に示すように、第１の垂直偏向コイル１と第２の垂直偏向コイル２とは直列に結線されている。第１の垂直偏向コイル１における下側の端子１３と第２の垂直偏向コイル２における下側の端子１４とを接続して形成された結線ポイント２０には、可変抵抗ＶＲ２２の中央端子が結線されている。また、可変抵抗ＶＲ２２の両端の端子には、抵抗器２１と２３とがそれぞれ接続されている。
【００５０】
また、抵抗器２１の可変抵抗ＶＲ２２に接続されていない端子は、第１の垂直偏向コイル１に設けられたトロイダルコイル巻線入力端子１２に接続されている。
抵抗器２３の可変抵抗ＶＲ２２に接続されていない端子は、第２の垂直偏向コイル２に設けられたトロイダルコイル巻線出力端子１５に接続されている。
【００５１】
図４において、実線で示す矢印は、垂直偏向回路（図示せず）からの順偏向時の電流の向きを示しており、特に矢印２４は、トロイダルコイル巻線入力端子１２から入力した垂直偏向電流１６（図１参照）の方向を示している。一方、破線で示す矢印は、逆偏向時の電流の向きを示しており、特に矢印２５は、逆順偏向時に第２の垂直偏向コイル２の端子１５から入力した垂直偏向電流の方向を示している。
【００５２】
このような回路構成において、可変抵抗ＶＲ２２の抵抗値を変化させると、垂直偏向コイル（１、２）の左右において、磁界のバランスを非対称にすることができる。この結果、電子ビームを左右に偏心させることができるので、上述した図６に示すＹｖミスコンバーゼンスの補正が可能となる。なお、本実施の形態においては、片偏向方向の補正についてのみ示しているが、図４に示す結線を変更できる態様とすれば、図６に示す赤ラスタ４１及び４３と青ラスタ４２及び４４とが反転しているパターンについても補正することは可能である。
【００５３】
次に、本発明の実施の形態にかかる陰極線管装置について説明する。図５は、本発明の実施の形態にかかる陰極線管装置を示す断面図である。なお、図５においては、陰極線管本体３０については側面のみを図示している。
【００５４】
図５に示すように、本実施の形態にかかる陰極線管装置は、陰極線管本体３０と、偏向ヨーク３８とを備えている。陰極線管本体３０は、ガラスファンネル３２と、ガラスファンネル３２の開口に接合されるガラスパネル３１と、ガラスファンネル３２のネック部内に設けられた電子銃３３とを備えている。電子銃３３は、Ｒ、Ｇ、Ｂそれぞれに対応する電子ビームが水平軸方向（図１に示すＸ軸方向）に一列に並んだ状態で出射されるインライン型の電子銃である。
【００５５】
偏向ヨーク３８は、陰極線管本体３０のネック部の外周を囲むように配置されている。偏向ヨーク３８は、電子ビームを水平方向に偏向させる水平偏向コイル３４と、電子ビームを垂直方向に偏向させるトロイダル形の垂直偏向コイル３６とを有している。
【００５６】
水平偏向コイル３４は、陰極線管本体３０のネック部の周囲を囲むように接地されており、絶縁枠３５によって保持されている。垂直偏向コイル３６は、図１に示した第1の垂直偏向コイル１と第２の垂直偏向コイル２とによって形成されている。筒状のコア３７は、図１及び図２に示した第１のコア片３ａと第２のコア片３ｂとを接合して形成したコア３と同様のものであって、左右に２分割可能に形成されている。また、垂直偏向コイル３６及びコア３７は、絶縁枠３５の外側に配置されており、絶縁枠３５によって水平偏向コイル３４から絶縁されている。
【００５７】
このように、本実施の形態にかかる偏向ヨーク及び陰極線管装置によれば、図７に示した従来例の偏向ヨークと異なり、Ｙｖミスコンバーゼンスの補正専用のサブコイルを設けることなく、Ｙｖミスコンバーゼンスの補正を行うことができる。また、図７に示した従来例の偏向ヨークのように、Ｙｖミスコンバーゼンスの補正を行うために左右それぞれのトロイダルコイルに中間タップを設ける必要がなく、巻方向を変えるだけで良い。
【００５８】
このため、本実施の形態にかかる偏向ヨーク及び陰極線管装置によれば、図７に示した従来例の偏向ヨークに比べて、コイル数、端子数、巻線巻き付けピン数、配線箇所数等の低減を図ることができる。つまり、本実施の形態によれば、垂直偏向トロイダルコイル方式において、部品点数の少ない、巻線方向を変化させるだけの構成で、Ｙｖミスコンバーゼンスによる色ズレを補正することができる。
【００５９】
なお、本発明にかかる偏向ヨーク及び陰極線管装置は、上記実施の形態に示した例に限定されるものではない。本発明においては、例えば、第１の垂直偏向コイル及び第２の垂直偏向コイルにおける巻線束の数や巻方向、巻線数、コイル径等は、電子ビームの垂直方向における偏向とＹｖミスコンバーゼンスの補正とが行えるように設定すれば良く、特に限定されるものではない。また、第１の垂直偏向コイルと第２の垂直偏向コイルとにおいて、巻線束の数や巻線数、コイル径等が異なる態様であっても良い。
【産業上の利用可能性】
【００６０】
本発明にかかる偏向ヨーク及び陰極線管装置は、Ｙｖミスコンバーゼンスによる色ズレ補正を簡単に行うことができるので、低価格の偏向ヨークとして、引いては、優れたコンバーゼンス特性の陰極線管装置として広く利用することができる。
【図面の簡単な説明】
【００６１】
【図１】本発明の実施の形態にかかる偏向ヨークの構成を概略的に示す図であり、スクリーン側から偏向ヨークを見た状態を示している。
【図２】本発明の実施の形態にかかる偏向ヨークを構成するコアの一例を示す斜視図である。
【図３】本発明の実施の形態にかかる偏向ヨークを構成するコアの他の例を示す斜視図である。
【図４】図２に示す陰極線管装置の垂直偏向コイルの結線図である。
【図５】本発明の実施の形態にかかる陰極線管装置を示す断面図である。
【図６】典型的なＹｖミスコンバーゼンスのパターンを示す図である。
【図７】従来における垂直トロイダル巻線コイル方式の偏向ヨークの構成を概略的に示す図である。
【符号の説明】
【００６２】
１  第１の垂直偏向コイル
１ａ  第１の垂直偏向コイルにおける上側の巻線束
１ｂ  第１の垂直偏向コイルにおける下側の巻線束
２  第２の垂直偏向
２ａ  第２の垂直偏向コイルにおける上側の巻線束
２ｂ  第２の垂直偏向コイルにおける下側の巻線束
３、９  コア
３ａ、９ａ  第１のコア片
３ｂ、９ｂ  第２のコア片
４、１０  接合面
５ａ、５ｂ  切り欠き
６ａ、６ｂ  切り欠き
７  コアの中心軸
８ａ、８ｂ、８ｃ  電子ビー−ムの軌道
１１  突起部
１２  第１の垂直変更コイルにおける上側の端子（トロイダルコイル巻線入力端子）
１３  第１の垂直偏向コイルにおける下側の端子
１４  第２の垂直偏向コイルにおける下側の端子
１５  第２の垂直偏向コイルにおける上側の端子（トロイダルコイル巻線出力端子）
１６  垂直偏向電流
１７  コアに生じる磁界
１８  垂直主偏向磁界
２０  結線ポイント
２１、２３  抵抗器
２２  可変抵抗ＶＲ
２４、２５  垂直偏向電流の方向
３０  陰極線管本体
３１  ガラスパネル
３２  ガラスファンネル
３３  電子銃
３４  水平偏向コイル
３５  絶縁枠
３６  垂直偏向コイル
３７  コア
３８  偏向ヨーク
【図１】
2005038777.tif 000003
【図２】
2005038777.tif 000004
【図３】
2005038777.tif 000005
【図４】
2005038777.tif 000006
【図５】
2005038777.tif 000007
【図６】
2005038777.tif 000008
【図７】
2005038777.tif 000009